【事件の表示】
　特願２００２−２２９６１２「コンピュータの半電源オン状態でマルチメディア・ファイルを再生する方法及び装置」拒絶査定不服審判事件〔平成１６年　３月　４日出願公開、特開２００４−　７０６９０〕について、次のとおり審決する。
【結　論】
　本件審判の請求は、成り立たない。
【理　由】
１．手続の経緯
　本願は、平成１４年８月７日の出願であって、平成１７年７月２０日付けで拒絶理由が通知され、平成１８年１月３０日付けで手続補正がなされたものの、同年２月２８日付けで拒絶査定がなされた。その後、同年６月５日に拒絶査定不服審判請求がなされ、同日付けで手続補正がなされ、同年９月２７日付けで前置報告がなされ、平成２０年９月９日付けで当審より審尋がなされたが、回答がなされなかったものである。
　
２．本願発明
　本願の請求項１に係る発明（以下、「本願発明」という。）は、平成１８年６月５日付けで補正された明細書の記載からみて、特許請求の範囲の請求項１に記載された次のとおりのものである。
「コンピュータがコンピュータのオペレーティング・システムを起動することなく、半電源オン状態でマルチメディア・ファイルを自動的に再生するための方法であって、
　前記コンピュータの電源をオンにした後に、ランダム・アクセス・メモリ（ＲＡＭ）、マルチメディア・チップ及びＩＤＥコントローラが含まれる関連するチップ／チップセットをイニシャライズするように、前記コンピュータのＢＩＯＳ（バイオス、Ｂａｓｉｃ　Ｉｎｐｕｔ／Ｏｕｔｐｕｔ　Ｓｙｓｔｅｍ）に、あるプログラムをインストールするステップと、
　ＡＴＡＰＩコマンドにより光磁気記録媒体上のすべてのファイルのファイル名を読み取り、前記ファイル名を番号付けし、前記ファイル名をマイクロコントローラに送信し、前記ＢＩＯＳがＰＯＳＴを実行せず、オペレーティング・システムを入力しないように、ＣＰＵ（中央処理装置）をクロック停止状態にするステップと、
　前記ＣＰＵにファイルの復号化を実行させるべく前記マイクロコントローラから前記ＣＰＵにコマンドを送信するステップと、
　ＣＰＵの復号化した結果をプレイヤーに送信するステップと、
から成る方法。　」
　
３．引用例
　原査定の拒絶の理由に引用された特開平９−１０１８４８号公報（以下、引用文献１」という。）には、次の事項が図面と共に記載されている。
　
Ａ．「【０００１】
【発明の属する技術分野】本発明は、マルチメディア機能を備えるパーソナルコンピュータなどの小型情報装置の分野における、ＣＤ−ＲＯＭドライブのようなディジタル化された音楽メディア駆動装置の制御に関する。
【０００２】
【従来の技術】パーソナルコンピュータ（以下パソコンと略記）は、近年著しいマルチメディア化が進行し、ＣＤ−ＲＯＭドライブの搭載、オーディオ回路および音源の搭載、スピーカの搭載などが一般的になっている。例えば特開平６−２３６２８０号公報には、ＣＤ−ＲＯＭドライブを備えたパーソナルコンピュータの構成例が図によって示されている。」
　
Ｂ．「【００１２】
【発明が解決しようとする課題】さて、パソコンを起動したこの過程で、まずＰＯＳＴ５２における各部位の自己診断に多大な時間を要する。というのも、図５では記載を省略しているが、パソコンに集積されているＩ／Ｏなどの種類は年々増加しているため、それらの動作を一つ一つテストするだけでも時間がかかってしまうのである。また主メモリ２の診断および初期化時間は、メモリ容量に比例して長くなるが、とくに主メモリ２容量が増大している近年はその傾向が強い。
【００１３】またオペレーティングシステム４１のロード過程は、オペレーティングシステム４１の肥大化に伴い、ロード時間が増大する傾向にある。」
　
Ｃ．「【００２０】
【課題を解決する為の手段】この問題を解決するには、パソコン本体の電源投入後に、できるだけ「軽い処理」によってＣＤプレーヤとしての機能が起動できればよい。
【００２１】そのために、パソコンが本来持つ電源スイッチ１２とは別に、パソコンを音楽ＣＤプレーヤとしてのみ起動させるモードスイッチ２０を設ける。ＰＯＳＴ５２の先頭において、このモードスイッチ２０がオン状態かを判定する。オフであれば、ユーザはパソコンとして機能させたいことを示しているわけであるから、通常通りのＰＯＳＴ５２処理へと分岐させればよい。
【００２２】オンであるならば、ユーザは音楽ＣＤプレーヤとして利用したがっていることを示しているから、本発明にて追加する処理へと分岐させる。
【００２３】この処理では、ＣＤ−ＲＯＭドライブ９が接続されているＩＤＥコントローラ７、ＩＤＥコントローラ７が接続されているバスブリッジ４、ＩＤＥコントローラ７の割り込み信号１７をプロセッサ１へ仲介する割り込みコントローラ１９のみを診断および初期設定する。
【００２４】また、音楽ＣＤを再生するためのデバイスドライバ４２は、ハードディスク１０ではなくＲＯＭ６に格納しておく。デバイスドライバ４２の動作にワークエリアは、主メモリ２の必要な容量のみを診断および初期化する。
【００２５】このようにして、これまでは分の単位の時間がかかった処理を秒の単位に短縮できる。
【００２６】また余分な消費電力を低減するという問題については、ＩＤＥコントローラ７、バスブリッジ４、割り込みコントローラ１９、アンプ１６、ＲＯＭ６、主メモリ２を中心とする必要な部分のみにＤＣ１３を供給する、ないしはクロックを供給する、といった省電力制御を行うことで解決可能である。」
　
Ｄ．「【００３１】
【発明の実施の形態】以下、図面を用いて本発明を説明する。図１は構成例を示した図である。図２には、ＲＯＭ６の動作フローを示した。
【００３２】２０は本発明で追加したモードスイッチであるが、ここでは併せて電源投入機能も持たせている。
【００３３】まず電源スイッチ１２またはモードスイッチ２０にて電源が投入された直後、プロセッサ１はプロセッサアーキテクチャによって決められたアドレス、すなわち、ＲＯＭ６の末尾のリセットベクタ５１から実行を始める（１００）。リセットベクタ５１はＰＯＳＴ５２の先頭を指し示すようにしておく。
【００３４】本発明では、ここでＰＯＳＴ５２の先頭に、モードフラグ読み出し回路２１にてモードスイッチ２０のオンをチェックする過程を付加する（２０１）。これはこれまでのマルチメディアパソコンではなかった処理である。
【００３５】モードスイッチ２０がオフであると判断したならば、通常のＰＯＳＴ処理へとジャンプする（２１０）。これ以後の処理は、通常のマルチメディアパソコンと同様である。概要は従来の技術の項、および図６で述べた。
【００３６】モードスイッチ２０がオンならば、本発明の特徴である「軽い」処理へと分岐する。図２ではその例として、ＩＤＥコントローラ７の診断と初期化（２０３）、割り込みコントローラ１９の診断と初期化（２０４）、主メモリ２のうち先頭アドレスから６４ＫＢのみ診断と初期化（２０５）を行った例を示している。続いて、ＲＯＭ６に格納されたデバイスドライバ４２Ａへとジャンプする。
【００３７】デバイスドライバ４２Ａは、処理内容としてはハードディスク１０に収められているデバイスドライバ２２と同様であるが、オペレーティングシステム４１が存在しないので、その部分を代行する処理が含まれている。
【００３８】デバイスドライバ４２Ａの内部の初期化処理（２０６）が終了した段階にて、ＣＤ−ＲＯＭドライブ９が利用可能となる。これ以後、ユーザがＣＤ−ＲＯＭドライブ９にＣＤを挿入すると、ＩＤＥコントローラ７から割り込み信号１７がプロセッサ１に通知される（２０７、２０８）。この実施例では、ＣＤ−ＲＯＭドライブの操作ウインドウ４４を表示しないため、ＣＤ挿入後の割り込みを契機に直ちに再生を開始するようにデバイスドライバ４２Ａの再生処理ルーチンを作成しておく（２０９）。これによって音楽ＣＤの再生が可能となる。」
　
Ｅ．「【００４４】図４はモードスイッチ２０のモード信号２２値を用いた省電力制御の例である。音楽ＣＤ再生には必要がないハードディスク１０に対する電源供給を、リレー回路２４Ａにて遮断する。また主メモリ２のうち、利用しないメモリモジュール部分については、ＲＡＳ信号２５およびＣＡＳ信号２６をＡＮＤゲート２７Ａ／２７Ｂでマスクすることでリフレッシュ動作を中止し、電力を低減する。
【００４５】また、ＣＲＴモニタ２９や液晶ディスプレイのバックライトなどの電源供給を止めたり、さらに使用しない回路電源を部分的に細かく制御してもよい。あるいは素子に入力するクロックをマスクする方法もある。ＣＭＯＳなどの集積回路では、クロック停止はそのまま消費電力の低減につながるからである。
【００４６】あるいは、プロセッサ１のクロック周波数を落として消費電力を低減してもよい。パソコンの処理とは異なり、ＣＤ−ＲＯＭドライブ９のみを制御するだけだから、プロセッサ１の処理性能が低くても影響ないからである。」
　
Ｆ．「【００４８】以上はＣＤ−ＲＯＭドライブ９をＩＤＥインターフェース８を介して接続した例を示したが、ＳＣＳＩ（Small Computer System Interface）でもよい。またＣＤ−ＲＯＭドライブ９からの音楽信号は、アナログ信号１５を介してアンプ１６に接続した例を示したが、ＩＤＥインターフェース８からデジタル情報として読み出し、別途ディジタル−アナログ変換して再生してもよい。」
　
（ア）上記Ａ．Ｂ．Ｃによれば、引用文献１のものは、ＣＤ−ＲＯＭドライブのようなデジタル化された音楽メディア駆動装置を搭載したパソコンにおいて、パソコンを起動した過程における初期化時間を短縮するために、パソコン本体の電源投入後に「軽い処理」によってＣＤプレーヤを機能させる起動方法に関するものである。
（イ）上記Ｃ．Ｄによれば、モードスイッチを設け、モードスイッチがオンならば「軽い処理」に分岐する。そして、ＣＤ−ＲＯＭドライブに接続されているＩＤＥコントローラ、バスブリッジ、割り込みコントローラ、主メモリのうち先頭の６４ＫＢのみを診断及び初期設定しており、そのＰＯＳＴのためのプログラムはＲＯＭに格納されている。
（ウ）上記Ｄによれば、通常のＰＯＳＴ処理では、ハードデイスクからオペレーティングシステムの読み込みを行うが、「軽い処理」ではオペレーティングシステムの読み込みを行わず、ＲＯＭに格納されたデバイスドライバへジャンプし、ＣＤ−ＲＯＭドライブが利用可能となる。
　
　以上より、引用文献１のＡ〜Ｆには、マルチメディア機能を備えるパソコンの音楽視聴のための起動方法として、次の発明（以下、「引用発明」という。）が記載されている。
　
　ＣＤ−ＲＯＭドライブのようなデジタル化された音楽メディア駆動装置を搭載したパソコンにおいて、パソコン本体の電源投入後に「軽い処理」によってＣＤプレーヤを機能させる起動方法であって、
　前記「軽い処理」では、
　パソコン本体の電源投入後にＰＯＳＴの先頭でモードスイッチをチェックしモードスイッチがオンならば、ＩＤＥコントローラ、バスブリッジ、割り込みコントローラ、主メモリのうち先頭の６４ＫＢのみを診断及び初期設定するプログラムをＲＯＭにインストールするステップと、
　オペレーティングシステムの読み込みを行わず、ＲＯＭに格納されたデバイスドライバへジャンプするステップと、
　初期化処理を終了したデバイスドライバによりＣＤ−ＲＯＭドライブを利用して音楽ＣＤを再生するステップと、　
からなる起動方法
　
　また、原査定の拒絶の理由に引用された特開２００２−１３２３７２号公報（以下、引用文献２」という。）には、次の事項が図面と共に記載されている。
　
Ｇ．「【０００１】
【発明の属する技術分野】本発明は、記録媒体から音楽データを読み出して再生するパーソナルコンピュータのデータ再生装置及びその方法に関する。」
　
Ｈ．「【００３１】
【発明の実施の形態】以下、本発明の実施形態を添付図面を参照して詳細に説明する。
【００３２】図１は、本発明のパーソナルコンピュータのデータ再生装置の一実施形態を示すブロック図である。本実施形態において、パーソナルコンピュータ１は、コンピュータ本体２、通信部３、音声部４、データ再生部５、第１乃至第３電源供給回路３０，３１，３２を備えている。
【００３３】第１電源供給回路３０は、主電源であって、スイッチ７０の押下に応答して、コンピュータ本体２に電力を供給する。また、第１電源供給回路３０は、常時、データ再生部５に電力を供給している。第２電源供給回路３１は、コンピュータ本体２により起動され、通信部３に電力を供給する。第３電源供給回路３２は、コンピュータ本体２やデータ再生部５により起動され、音声部４に電力を供給する。
・・・・・・・・・・・・・・・（中略）・・・・・・・・・・・・
【００３８】データ再生部５は、常時、第１電源供給回路３０もしくはバックアップバッテリ（図示せず）から電力を供給されており、パーソナルコンピュータ１におけるアプリケーションソフトウェアの実行により作動し、また独自でも作動することができ、各種の機能に対応するそれぞれのハードウェアを備えている。データ再生部５は、時刻の表示と、音楽データの再生を行う。」
　
Ｉ．「【００４０】音楽の再生については、図２の図表（１）にその概略が、図３の図表（２）にその一部詳細が示されている。第１の電源供給回路３０によるパーソナルコンピュータ１への電力供給が行われていないときに、ＣＤドライバ７３にＣＤが挿入されると、ＣＤの挿入がＣＤドライバ７３からＣＤ再生コントローラ６１を介して補助表示コントローラ５０に通知される。そして、ＣＤドライバ７３は、ＣＤからデータを読み出して、このデータをＣＤ再生コントローラ６１を介して補助表示コントローラ５０に出力する。補助表示コントローラ５０は、ＣＤの挿入を通知されてから、ＣＤのデータを入力し、このデータが音楽データであるか否かを判定する。そして、音楽データであれば、補助表示コントローラ５０は、第３電源供給回路３２をオンにして、再生曲番号を初期値「１」に設定し、この再生曲番号「１」に対応する音楽データの再生をＣＤ再生コントローラ６１に指示する。ＣＤ再生コントローラ６１は、ＣＤドライバ７３を駆動制御し、再生曲番号「１」に対応する音楽データをＣＤから読み出して、この音楽データをＣＤドライバ７３から音声部４へと出力させる。音声部４では、この音楽データから音声信号を生成し、この音声信号に対応する音声をスピーカから出力する。また、補助表示コントローラ５０は、再生曲番号「１」に対応するキャラクタデータを表示メモリ５３から読み出して、このキャラクタデータを補助表示装置５２に与える。補助表示装置５２は、このキャラクタデータを用いて、再生曲番号「１」を表示する。
【００４１】また、ＣＤ再生コントローラ６１は、ＣＤドライバ７３からＣＤが取り出されると、この旨を補助表示コントローラ５０に通知する。あるいは、ＣＤ再生コントローラ６１は、ＣＤドライバ７３によって再生されている再生曲番号を取得して、この再生曲番号を補助表示コントローラ５０に通知する。」
　
Ｊ．「【００５３】更に、補助表示コントローラ５０は、ＣＤドライバ７３からのＣＤの取り出しを指示するためのＣＤ再生コントローラ６１の排出ボタン（図示せず）が操作されたか否かを判定する（ステップＳ２０５）。そして、ＣＤ再生コントローラ６１の排出ボタンが操作されなければ（ステップＳ２０５，Ｎｏ）、補助表示コントローラ５０は、各制御ボタン５４-1，５４-2，５４-3，５４-4のいずれかが押下されたか否かを判定し（ステップＳ２０６）、押下されていなければ（ステップＳ２０６，Ｎｏ）、ＣＤドライバ７３によって再生されている再生曲番号をＣＤ再生コントローラ６１から取得する（ステップＳ２０７）。更に、補助表示コントローラ５０は、この取得した再生曲番号を表示メモリ５３内の再生曲番号PlayNoと照合し（ステップＳ２０８）、両者の再生曲番号が一致しなれければ（ステップＳ２０８，Ｎｏ）、表示メモリ５３に記憶されかつ補助表示装置５２に表示されている再生曲番号PlayNoを該取得した再生曲番号に更新してから（ステップＳ２０９）、ステップＳ２１０に移る。また、両者の再生曲番号が一致すれば（ステップＳ２０８，Ｙｅｓ）、ステップＳ２０９を介さずに、ステップＳ２１０に移る。」
　
（エ）上記Ｇ．Ｈによれば、記録媒体から音楽データを読み出して再生する機能を持つパーソナルコンピュータにおいて、パーソナルコンピュータ本体とは別に音楽データの再生を行うデータ再生部を持つものが示されている。
（オ）上記Ｉによれば、データ再生部はＣＤドライバを制御するＣＤ再生コントローラと表示を制御しＣＤ再生コントローラと通信する補助表示コントローラを有している。
（カ）上記Ｊによれば、補助表示コントローラは、表示メモリ内の再生曲番号とＣＤから読み出しＣＤコントローラから取得した再生曲番号とを比較している。
　
４．対比
　本願発明と引用発明とを対比すると、引用発明の「パソコン」「オペレーティングシステム」「音楽メディア」「主メモリ」「ＩＤＥコントローラ」は、それぞれ、本願発明の「コンピュータ」「オペレーティング・システム」「マルチメディア・ファイル」「ランダム・アクセス・メモリ（ＲＡＭ）」「ＩＤＥコントローラ」に相当する。
　本願発明において、「半電源状態」とは、明細書の記載を参酌すると、電源がオンになる際にＭＰ３／ビデオプレイヤーの電源オンと判断し、オペレーティングシステムを入力しない状態を意味するものと解される。してみると、引用発明における「「軽い処理」としてパソコン本体の電源投入後にＰＯＳＴの先頭でモードスイッチをチェックしモードスイッチがオンならば」ＣＤプレーヤ機能のための部分のみを診断及び初期設定し、オペレーティングシステムの読み込みを行わないことと実質的に同等のものである。従って、本願発明の「コンピュータがコンピュータのオペレーティング・システムを起動することなく、半電源オン状態でマルチメディア・ファイルを自動的に再生するための方法」は、引用発明の「ＣＤ−ＲＯＭドライブのようなデジタル化された音楽メディア駆動装置を搭載したパソコンにおいて、パソコン本体の電源投入後に「軽い処理」によってＣＤプレーヤを機能させる起動方法」に相当する。
　本願発明の「前記コンピュータの電源をオンにした後に、ランダム・アクセス・メモリ（ＲＡＭ）、マルチメディア・チップ及びＩＤＥコントローラが含まれる関連するチップ／チップセットをイニシャライズするように、前記コンピュータのＢＩＯＳ（バイオス、Ｂａｓｉｃ　Ｉｎｐｕｔ／Ｏｕｔｐｕｔ　Ｓｙｓｔｅｍ）に、あるプログラムをインストールするステップ」と、引用発明の「パソコン本体の電源投入後にＰＯＳＴの先頭でモードスイッチをチェックしモードスイッチがオンならば、ＩＤＥコントローラ、バスブリッジ、割り込みコントローラ、主メモリのうち先頭の６４ＫＢのみを診断及び初期設定するプログラムをインストールするステップ」とは、マルチメディア・ファイルの再生に必要となる箇所だけをイニシャライズするプログラムを有する点で共通している。
　引用発明では、通常のＰＯＳＴ処理とは異なる診断及び初期設定を実行し、オペレーティングシステムをロードしないものであるから、本願発明の「ＰＯＳＴを実行せず、オペレーティング・システムを入力しない」点では共通している。
　引用発明では、初期化処理を終了したデバイスドライバによりＣＤ−ＲＯＭドライブを利用して音楽ＣＤを再生しているから、本願発明における「結果をプレイヤーに送信する」ことを行っている。
　
　従って、本願発明と引用発明とは次の点で相違するが、その余の点では一致している。
　
（相違点１）
　マルチメディア・ファイルの再生に必要となる箇所だけをイニシャライズするプログラムが、本願発明では前記コンピュータのＢＩＯＳ（バイオス、Ｂａｓｉｃ　Ｉｎｐｕｔ／Ｏｕｔｐｕｔ　Ｓｙｓｔｅｍ）にインストールされるものであるのに対し、引用発明ではどこにインストールされるか不明である点
　
（相違点２）
　マルチメディアとして、本願発明では光磁気記録媒体を対象としているのに対し、引用発明ではＣＤを対象としている点
　
（相違点３）
　本願発明では、マイクロコントローラを有し、ＡＴＡＰＩコマンドにより光磁気記録媒体上のすべてのファイルのファイル名を読み取り、前記ファイル名を番号付けし、前記ファイル名をマイクロコントローラに送信しているのに対し、引用発明ではこのような処理を行っているか不明である点
　
（相違点４）
　本願発明では、ＣＰＵ（中央処理装置）をクロック停止状態にするものであるのに対し、引用発明ではＣＰＵをクロック停止するものでない点
　
（相違点５）
　本願発明では、ＣＰＵにファイルの復号化を実行させるべく前記マイクロコントローラから前記ＣＰＵにコマンドを送信し、ＣＰＵの復号化した結果をプレイヤーに送信するものであるのに対し、引用発明ではそのような処理を行っていない点
　
５．相違点についての検討
 （相違点１）
　ＢＩＯＳは、パソコンに接続されているデバイスをコントロールするプログラム群のことであるが、ＢＩＯＳの中にＰＯＳＴ（Power on Self Test）と呼ばれる動作チェック処理を含ませることが一般的である。引用発明では、ＲＯＭにＢＩＯＳとＰＯＳＴが格納されており、前述の通り、ＰＯＳＴを含めてＢＩＯＳと呼ぶことも一般的であるから、ＰＯＳＴのようなイニシャライズプログラムをＢＩＯＳに含めてインストールすることは格別のことではない。
　
（相違点２）
　引用発明は、ＣＤ−ＲＯＭドライブのようなデイジタル化された音楽メディアを駆動装置を対象としているが、音楽の記録媒体として光磁気記録媒体は周知のものであるから、マルチメディアとして光磁気記録媒体を対象とすることは格別のことではない。
　
（相違点３）
　引用文献２に示されるように、記録媒体から音楽データを読み出して再生するパーソナルコンピュータでは、上記３（エ）（オ）のように、パーソナルコンピュータ本体とは別にデータ再生部をもち、そのデータ再生部にはＣＤドライバを制御するＣＤ再生コントローラと表示を制御しＣＤ再生コントローラと通信する補助表示コントローラを有するものが知られている。また、上記３（カ）のように、補助表示コントローラは、表示メモリ内の再生曲番号とＣＤから読み出しＣＤコントローラから取得した再生曲番号とを比較している。そして、ＡＴＡＰＩはＩＤＥコントローラにＣＤ−ＲＯＭドライブのような機器を接続するためのインターフェースであるから、ＡＴＡＰＩコマンドにより記録媒体から読み出しを行い、番号付け等の処理を行うことを格別のことということはできない。
　
（相違点４）
　引用文献１の上記３Ｃの２６段落、及び上記３Ｅの記載によれば、省電力制御の例として、音楽ＣＤ再生に必要ない部分への電力の遮断やクロックをマスクする方法が示されているから、ＣＰＵについても必要のない期間にクロックを停止することは容易に為し得ることである。
　
（相違点５）
　Ｋｉｎｉｎａｌ　Ｄｉｇｉｔａｌ，ＡＳＣＩＩ，株式会社アスキー，２００１年　３月１日，第２５巻、第３号，ｐ１２９に記載されているように、ＭＰ３プレーヤ内蔵のノートＰＣにおいて、ＭＰ３プレーヤはソフトウエアで実現されているから、データの復号をＣＰＵで行うようにすることは格別のことではない。
　
　そして、本願発明の構成によってもたらされる効果も、引用発明から当業者ならば容易に予測することができる程度のものであって、格別のものとはいえない。 
 　 
６．むすび 
　したがって、本願発明は、引用文献１，２に記載された発明および周知事項に基いて、当業者が容易に発明をすることができたものであるので、特許法第２９条第２項の規定により特許を受けることができない。 
　よって、結論のとおり審決する。